(57)【特許請求の範囲】
【請求項１】
基準マークを備えた記録媒体に画像を印刷することが可能な印刷装置であって、
前記記録媒体を搬送方向に搬送する搬送部と、
前記記録媒体を切断するカッタ部と、
前記記録媒体に前記画像を印刷する印刷部と、
前記記録媒体のページ開始位置を示すマークとしての基準マークを、搬送される前記記録媒体から読み取ることにより検出するマーク検出部と、
記録媒体の種別情報を受信する受信部と、
前記記録媒体の種別情報の内容に基づいて、前記カッタ部による切断位置を、前記ページ開始位置から所定の１ページ長、前記搬送方向の上流側の位置である第１の位置、又は、前記第１の位置から規定長、前記搬送方向にずらされた位置である第２の位置に切り替えさせる制御部と、
を備え、
前記受信部によって受信された前記種別情報が、前記記録媒体は前記基準マーク及び前記ページ開始位置にハーフカット部を備えた全面ラベルであることを示す情報である場合に、前記制御部は、前記切断位置を前記第２の位置に設定する
ことを特徴とする印刷装置。
【請求項２】
前記ページ開始位置から前記第１の位置までの長さである第１のカット長は、前記１ページ長に等しく、
前記ページ開始位置から前記第２の位置までの長さである第２のカット長は、前記１ページ長より短い
ことを特徴とする請求項１に記載の印刷装置。
【請求項３】
前記制御部は、前記第１のカット長から前記規定長を減算することによって、又は、前記第１のカット長に予め決められた係数を乗算することによって、前記第２のカット長を取得することを特徴とする請求項２に記載の印刷装置。
【請求項４】
前記第１のカット長から前記第２のカット長を減算して得られた差分値は、３ｍｍ以上であることを特徴とする請求項２又は３に記載の印刷装置。
【請求項５】
基準マークを備えた記録媒体に画像を印刷することが可能な印刷装置であって、前記記録媒体を搬送方向に搬送する搬送部と、前記記録媒体を切断するカッタ部と、前記記録媒体に前記画像を印刷する印刷部と、前記記録媒体のページ開始位置を示すマークとしての基準マークを、搬送される前記記録媒体から読み取ることにより検出するマーク検出部と、記録媒体の種別情報を受信する受信部と、前記記録媒体の種別情報の内容に基づいて、前記カッタ部による切断位置を、前記ページ開始位置から所定の１ページ長、前記搬送方向の上流側の位置である第１の位置、又は、前記第１の位置から規定長、前記搬送方向にずらされた位置である第２の位置に切り替えさせる制御部とを備え、前記受信部によって受信された前記種別情報が、前記記録媒体は前記基準マーク及び前記ページ開始位置にハーフカット部を備えた全面ラベルであることを示す情報である場合に、前記制御部は、前記切断位置を前記第２の位置に設定する前記印刷装置、を制御する印刷制御装置であって、
前記記録媒体の種別情報が、前記記録媒体は前記基準マーク及び前記ページ開始位置にハーフカット部を備えた全面ラベルであることを示す情報であることを設定する入力部と、
前記入力部によって設定された前記記録媒体の種別情報を前記受信部に送信する送信部と、
を備えたことを特徴とする印刷制御装置。
【発明の詳細な説明】
【技術分野】
【０００１】
本発明は、記録媒体に画像を印刷する印刷装置（プリンタ）及び印刷装置を制御する印刷制御装置（プリンタ制御装置）に関する。
【背景技術】
【０００２】
記録媒体としてのロール紙に一定間隔ごとに設けられたマークを検出するセンサと、検出されたマークの位置から印刷を開始する印刷部と、次に検出されたマークの位置でロール紙を切断するカッタ機構（カッタ部）とを備えたプリンタが提案されている（例えば、特許文献１参照）。
【先行技術文献】
【特許文献】
【０００３】
【特許文献１】特開２０１２−２２８８３９号公報
【発明の概要】
【発明が解決しようとする課題】
【０００４】
しかしながら、上記プリンタが、記録媒体として、ハーフカット部を有するラベル紙を使用する場合に、カッタ機構による記録媒体の切断位置がハーフカット部に一致しないことがある。この場合には、実際の切断位置とハーフカット部との間の微細な切れ端（例えば、接着層を備えたラベルの切れ端）が発生し、微細な切れ端がカッタ機構又は媒体の搬送機構などに付着して（例えば、切れ端が巻き付いて又は切れ端が挟まって）、プリンタが正常に動作できないエラー状態になる又はプリンタの機構に損傷が生じる虞がある。
【０００５】
そこで、本発明は、プリンタが正常に動作できないエラー状態の発生及び機構の損傷の発生を防ぐことができる印刷装置及び印刷装置を制御する印刷制御装置を提供することを目的とする。
【課題を解決するための手段】
【０００６】
本発明の一態様に係る印刷装置は、基準マークを備えた記録媒体に画像を印刷することが可能な印刷装置であって、前記記録媒体を搬送方向に搬送する搬送部と、前記記録媒体を切断するカッタ部と、前記記録媒体に前記画像を印刷する印刷部と、前記記録媒体のページ開始位置を示すマークとしての基準マークを、搬送される前記記録媒体から読み取ることにより検出するマーク検出部と、記録媒体の種別情報を受信する受信部と、前記記録媒体の種別情報の内容に基づいて、前記カッタ部による切断位置を、前記ページ開始位置から所定の１ページ長、前記搬送方向の上流側の位置である第１の位置、又は、前記第１の位置から規定長、前記搬送方向にずらされた位置である第２の位置に切り替えさせる制御部と、を備え、前記受信部によって受信された前記種別情報が、前記記録媒体は前記基準マーク及び前記ページ開始位置にハーフカット部を備えた全面ラベルであることを示す情報である場合に、前記制御部は、前記切断位置を前記第２の位置に設定することを特徴とする。
【０００７】
本発明の他の態様に係る印刷制御装置は、
基準マークを備えた記録媒体に画像を印刷することが可能な印刷装置であって、前記記録媒体を搬送方向に搬送する搬送部と、前記記録媒体を切断するカッタ部と、前記記録媒体に前記画像を印刷する印刷部と、前記記録媒体のページ開始位置を示すマークとしての基準マークを、搬送される前記記録媒体から読み取ることにより検出するマーク検出部と、記録媒体の種別情報を受信する受信部と、前記記録媒体の種別情報の内容に基づいて、前記カッタ部による切断位置を、前記ページ開始位置から所定の１ページ長、前記搬送方向の上流側の位置である第１の位置、又は、前記第１の位置から規定長、前記搬送方向にずらされた位置である第２の位置に切り替えさせる制御部とを備え、前記受信部によって受信された前記種別情報が、前記記録媒体は前記基準マーク及び前記ページ開始位置にハーフカット部を備えた全面ラベルであることを示す情報である場合に、前記制御部は、前記切断位置を前記第２の位置に設定する前記印刷装置、を制御する印刷制御装置であって、前記記録媒体の種別情報が、前記記録媒体は前記基準マーク及び前記ページ開始位置にハーフカット部を備えた全面ラベルであることを示す情報であることを設定する入力部と、前記入力部によって設定された前記記録媒体の種別情報を前記受信部に送信する送信部と、を備えたことを特徴とする。
【発明の効果】
【０００８】
本発明によれば、記録媒体の種類に応じて切断位置を変更することで、印刷装置が正常に動作できないエラー状態の発生及び印刷装置の機構の損傷の発生を防ぐことができる。
【図面の簡単な説明】
【０００９】
【図１】（ａ）は、本発明の実施の形態１に係るプリンタの構造を示す概略図であり、（ｂ）は、記録媒体としてのラベル紙（ハーフカット部無し）の裏面を概略的に示す平面図であり、（ｃ）は、記録媒体としてのラベル紙（ハーフカット部有り）の裏面を概略的に示す平面図である。
【図２】実施の形態１に係るプリンタシステムのハードウェア構成を概略的に示すブロック図である。
【図３】図２に示される印刷制御部の機能ブロックを示すブロック図である。
【図４】図２に示される表示部の表示画面の一例を示す図である。
【図５】実施の形態１に係るプリンタシステムにおけるプリンタの動作（印刷データ受信時）を示すフローチャートである。
【図６】実施の形態１に係るプリンタシステムにおけるプリンタの動作（印刷時）を示すフローチャートである。
【図７】本発明の実施の形態２に係るプリンタシステムのハードウェア構成を概略的に示すブロック図である。
【図８】図７に示される印刷制御部の機能ブロックを示すブロック図である。
【図９】図７に示される表示部の表示画面の一例を示す図である。
【図１０】実施の形態２に係るプリンタシステムにおける情報処理装置の動作（印刷データ生成時）を示すフローチャートである。
【図１１】実施の形態２に係るプリンタシステムにおけるプリンタの動作（印刷時）を示すフローチャートである。
【発明を実施するための形態】
【００１０】
以下に、本発明の実施の形態を、添付図面を参照しながら説明する。実施の形態において、プリンタシステムは、記録媒体上に印刷データに基づく画像を印刷するプリンタ（「印刷装置」又は「画像形成装置」とも言う）とプリンタの印刷条件を設定するためのユーザ入力が行われる印刷制御装置（「プリンタドライバ装置」又は「プリンタ制御装置」とも言う）とを含む。ただし、プリンタが、印刷条件を設定する機能及び印刷データを生成する機能（すなわち、印刷制御装置の機能）を備えている場合には、プリンタはプリンタシステムと同義である。
【００１１】
《１》実施の形態１
《１−１》実施の形態１の構成
図１（ａ）は、本発明の実施の形態１に係るプリンタ１の構造を示す概略図であり、図１（ｂ）は、記録媒体５としてのラベル紙５１（ハーフカット部無し）の裏面を概略的に示す平面図であり、図１（ｃ）は、記録媒体５としてのラベル紙５２（ハーフカット部有り）の裏面を概略的に示す平面図である。一般に、ラベル紙５１，５２は、台紙と、台紙上に重ねられた接着面を有するラベルとから構成される。ただし、記録媒体５は、ラベル紙に限定されない。また、記録媒体５は、ロール状に巻かれていなくてもよい。さらに、記録媒体５の種類は、図１（ｂ）及び（ｃ）に示されるものに限定されない。
【００１２】
図１（ａ）に示されるように、プリンタ１は、ロール状に巻かれた記録媒体５としてのロール状媒体（ロール紙）を支持する媒体支持部１７と、媒体支持部１７に支持されたロール状媒体から記録媒体５を引き出して搬送方向Ｄ１に搬送する搬送部１２としての搬送ローラ１２ａ，１２ｂとを備えている。また、プリンタ１は、記録媒体５の裏面（例えば、ラベル紙５２の台紙の裏面、すなわち、図１（ａ）における下面）に備えられた位置基準用の基準マーク５５を検出する媒体位置検出部としてのマーク検出部１３と、記録媒体５を切断する切断装置としてのカッタ部１４と、記録媒体５の表（おもて）面（例えば、ラベル紙５２のラベル、すなわち、図１（ａ）における上面）に入力画像データに基づく画像（例えば、印刷画像５８）を形成する画像形成部としての印刷部１５とを備えている。搬送部１２は、ローラ（又はローラ対）１２ａ，１２ｂと、ローラ１２ａ，１２ｂを回転させるための駆動力を発生するモータなどの駆動力発生部（図示せず）と、駆動力をローラ１２ａ，１２ｂに伝達するギヤなどの駆動力伝達機構（図示せず）とを有している。また、搬送部１２による記録媒体５の搬送方向Ｄ１の搬送速度は予め設定された速度である。このため、搬送部１２による記録媒体５の引き出し長さ（すなわち、記録媒体５の移動距離）は、搬送速度と搬送時間とから算出可能である。ただし、プリンタ１は、記録媒体５の移動距離を計測する距離計測部を備えてもよい。
【００１３】
図１（ｃ）における記録媒体５としてのラベル紙５２のハーフカット部５７は、例えば、ラベル紙５２のページ境界に設けられた溝部、すなわち、記録媒体５の厚さ方向の中間位置までの深さを持つ切り込み部である。基準マーク５５は、「ブラックマーク」とも称される。基準マーク５５は、記録媒体５の１ページ（印刷ページ）の開始位置（「ページ開始位置」又は「ページ境界位置」とも言う）を示す。基準マーク５５は、例えば、記録媒体５の搬送方向Ｄ１に一定間隔で配置されている。一般には、基準マーク５５の搬送方向Ｄ１の先端は、ページ開始位置に一致するが、ページ開始位置を検出可能にする基準マーク（例えば、ページ開始位置から一定距離ずれた位置に配置されたマーク）であれば、基準マーク５５の搬送方向Ｄ１の先端がページ開始位置に一致しなくてもよい。また、図１（ａ）では、印刷部１５がカッタ部１４の搬送方向Ｄ１の下流側（反ロール紙側）に配置されているが、印刷部１５はカッタ部１４の搬送方向Ｄ１の上流側（ロール紙側）に配置されてもよい。また、プリンタ１の構造は、図１（ａ）の構造に限定されない。
【００１４】
図２は、実施の形態１に係るプリンタシステムのハードウェア構成を概略的に示すブロック図である。実施の形態１に係るプリンタシステムは、通信（信号の送受信）を行う通信部（第１の通信部）（受信部）１６を備えたプリンタ１と、ネットワーク６などの伝送路を介して通信部１６と通信（信号の送受信）を行う通信部（第２の通信部）（送信部）３４を備えたプリンタを制御するソフトウェアであるプリンタドライバを格納し、プリンタに制御コマンドを含む印刷データを送信する印刷制御装置（プリンタ制御装置）である情報処理装置３とを有している。通信部１６及び３４は、ネットワークを介して情報の受信又は送信を行う。通信部１６及び３４は、有線通信部又は無線通信部のいずれであってもよい。また、通信部１６及び３４の通信方式は、特定の方式に限定されない。プリンタ１は、カラープリンタ、モノクロプリンタ、複写機、ファクシミリ、多機能周辺装置（ＭＦＰ）である。また、情報処理装置３は、プリンタドライバを格納したパーソナルコンピュータに限らず、プリンタを制御するソフトウェアである印刷用アプリケーションを備えたタブレット端末やスマートフォンなどであってもよい。
【００１５】
図２に示されるように、プリンタ１は、通信部１６と、記録媒体５を搬送方向Ｄ１に搬送する搬送部１２と、記録媒体５を切断するカッタ部１４と、記録媒体５に画像を印刷する印刷部１５と、記録媒体５の裏面（台紙の裏面）に備えられ、記録媒体５のページ開始位置を示す基準マーク（「ブラックマーク」とも言う）を検出するマーク検出部１３と、印刷制御部（制御部）１１とを有している。印刷部１５が採用する印刷方式は、例えば、電子写真方式又はインクジェット方式である。ただし、印刷部１５が採用する印刷方式は、これらに限定されない。印刷制御部１１は、例えば、画像データを解析して印刷を制御するためのプログラムである印刷制御用ソフトが格納されている記憶部としてのＲＯＭ（Ｒｅａｄ  Ｏｎｌｙ  Ｍｅｍｏｒｙ）１１３と、画像データ及び各種データを一時的に保存するための記憶部としてのＲＡＭ（Ｒａｎｄｏｍ  Ａｃｃｅｓｓ  Ｍｅｍｏｒｙ）１１２と、印刷制御用ソフトを実行する情報処理部（プロセッサ）としてのＣＰＵ（Ｃｅｎｔｒａｌ  Ｐｒｏｃｅｓｓｉｎｇ  Ｕｎｉｔ）１１１とを有している。また、プリンタ１内の構成は、内部バスを介して相互に接続されている。
【００１６】
情報処理装置３は、プリンタを制御するのに必要な媒体情報を設定する記録媒体の種別情報が入力される入力部３２と、表示部３３と、通信部３４とを有している。記録媒体の種別情報は、記録媒体の種別を示す情報である。入力部３２は、例えば、ユーザ操作により記録媒体の種別情報を入力するための操作部であってもよい。操作部は、例えば、キーボード、マウス、タッチパネルである。情報処理装置３は、さらに、基本ソフトウェアとしてのＯＳ（Ｏｐｅｒａｔｉｎｇ  Ｓｙｓｔｅｍ）が格納された記憶部３１３と、プリンタ駆動用のプログラムであるプリンタドライバが格納された記憶部３１４と、データを一時的に記憶するためのＲＡＭ３１２と、プリンタドライバを実行する情報処理部（プロセッサ）としてのＣＰＵ３１１とを有している。また、情報処理装置３内の構成は、内部バスを介して相互に接続されている。
【００１７】
印刷制御部１１は、情報処理装置３から送られた記録媒体の種別情報の内容に基づいて、カッタ部１４による切断位置を、ページ開始位置から所定の１ページ長（図１（ｂ）におけるＬ０（第１のカット長））搬送方向Ｄ１の上流側の位置である第１の位置５４、又は、第１の位置５４から規定長Ｒ、搬送方向Ｄ１にずらされた位置である第２の位置５６に切り替えさせる。図１（ｃ）に示されるように、第２の位置５６は、例えば、ページ開始位置から距離Ｌ１（＝Ｌ０−Ｒ）（第２のカット長）の位置である。
【００１８】
このように、記録媒体５がハーフカット部を有するハーフカット媒体である場合に、カッタ部１４による記録媒体５の切断位置である第２の位置５６を、ハーフカット部５７から遠ざける（積極的に離す）処理を行うことにより、実際の切断位置である第２の位置５６とハーフカット部５７との間の切れ端は発生しない。このように、ハーフカット部５７からある程度の距離（例えば、幅３ｍｍ以上）離れた位置を切断すれば、微細な切れ端（例えば、幅１ｍｍ以下）は発生しない。なお、第２の位置５６は、ページ開始位置から距離Ｌ１（＝Ｌ０＋Ｒ）の位置とすることも可能であるが、この場合には次ページのページ開始位置が少し除去されるので（さらに次ページのページ開始位置までの範囲が無駄になるので）、距離Ｌ１（＝Ｌ０−Ｒ）が望ましい。
【００１９】
図３は、図２に示される印刷制御部１１の機能ブロックを示すブロック図である。印刷制御部１１は、マーク種別判定部１１４と、印刷指示部１１５と、カット長計算部１１６と、カット指示部１１７とを備える。マーク種別判定部１１４は、マーク検出部１３により読み取られた（例えば、光学的に読み取られた）基準マークの種別を判定する。基準マークの種別は、例えば、基準マークのサイズ、位置、色、模様、基準マークの個数などによって判定することができる。実施の形態１においては、マーク種別判定部１１４は、記録媒体５の裏面に、所定の基準マーク（例えば、ブラックマーク）が有るか否かを判定する。なお、一般に、基準マークは、印刷開始位置を示すのに用いられ、記録媒体の裏面に予め黒い線で印刷された「ブラックマーク」と、ラベル紙間の台紙部分を示すマークとしての「ギャップ」（台紙のみの部分）、及び、マークが備えられていない「マーク無し」の３種類のマークがある。
【００２０】
印刷指示部１１５は、情報処理装置３から印刷実行の指示信号及び画像データを受信すると、印刷部１５に画像データに基づく印刷信号を送る。印刷部１５は、入力される画像データに基づいて記録媒体５に画像を形成する。
【００２１】
カット長計算部１１６は、情報処理装置３から１ページ長Ｌ０を受け取り、これを記憶部１１２のページ長保持部（記憶領域）１１２ａに格納する。カット長計算部１１６は、１ページ長Ｌ０から規定長Ｒを減算することによって、又は、１ページ長Ｌ０に予め決められた係数を乗算することによって、第２のカット長Ｌ１を取得する。取得された第２のカット長Ｌ１は、記憶部１１２のページ長保持部（記憶領域）１１２ａに格納される。カット指示部１１７は、ページ開始位置から第２のカット長Ｌ１上流側（ロール紙側）の位置で、記録媒体５を切断するように、指示信号をカッタ部１４に与える。
【００２２】
図４は、図２に示される表示部３３の表示画面の一例を示す図である。図４は、印刷条件設定画面である。ユーザは、情報処理装置３の入力部３２から記録媒体５としての用紙種別を、連続紙、ブラックマーク付きの連続紙、ダイカットラベル、ブラックマーク付きのダイカットラベル、全面ラベル、ブラックマーク付きの全面ラベルの中から選択することができる。図４は、ブラックマーク付き全面ラベルが選択されている場合を示している。図４において、ブラックマーク付き全面ラベルが選択された場合には、記録媒体にハーフカットが備えられている可能性が高い。また、図４において、用紙種別として、印刷開始位置を示すブラックマークが在る記録媒体が指定されていることは、記録媒体がページ単位に印刷されることを目的としたものであることを示している。さらに、図４における用紙種別の内、台紙にラベル紙が貼られているものは、ダイカットラベルと全面ラベルである。さらに、台紙上の全面にラベルが貼られている全面ラベルは、カットを実行した際には台紙上のラベル紙を切断することになり、ハーフカットが施されていた場合にハーフカット近傍でカットすると、切れ端が発生する。一方、ダイカットラベルの場合は、ラベルの周囲はラベルカスが無い状態、つまり、台紙のみの状態であるため、仮にページ間の位置を切断しても、その位置には、ラベルが存在せず、台紙のみ切断することとなり、切断してもラベルの切れ端が発生することはない。
【００２３】
《１−２》実施の形態１の動作
図５は、実施の形態１に係るプリンタシステムにおけるプリンタ１の動作（印刷データ受信時）を示すフローチャートである。図５に示されるように、プリンタ１の印刷制御部１１は、情報処理装置３から印刷データを受信すると、印刷データを解析して記録媒体５を切断することの指示（カット指示）の有無を判断する（ステップＳ１１）。カット指示が無ければ（ステップＳ１１においてＮＯ）、処理は印刷処理へ進む（ステップＳ１４）。カット指示が有れば（ステップＳ１１においてＹＥＳ）、処理はマーク種別判定処理に進む（ステップＳ１２）。このとき、用紙種別に「全面ラベル（ブラックマーク）」が指定されていなければ（ステップＳ１２においてＮＯ）、処理は印刷処理へ進む（ステップＳ１４）。
【００２４】
用紙種別に「全面ラベル（ブラックマーク）」が指定されていれば（ステップＳ１２においてＹＥＳ）、印刷制御部１１（カット長計算部１１６）は、カット長Ｌ１を計算する（ステップＳ１３）。このとき、印刷制御部１１（カット長計算部１１６）は、先ずページ長保持部１４１に保持されているページ長Ｌ０を読み出し、そのページ長Ｌ０から、予め決められた規定長Ｒ（例えば、３ｍｍ）を差し引いた値（Ｌ０−Ｒ）を、カット長Ｌ１としてカット長保持部１１２ｂに書き出す。その後、処理は印刷処理へ進む（ステップＳ１４）。
【００２５】
図６は、実施の形態１に係るプリンタシステムにおけるプリンタ１の動作（印刷時）を示すフローチャートである。図６に示されるように、印刷制御部１１（印刷指示部１１５）は、印刷部１５に対して１ページの印刷を指示する（ステップＳ１４１）。次に、印刷制御部１１（カット指示部１１７）は、印刷するページの終端で記録媒体５が切断されるページ（カットページ）であるか否かを判断し（ステップＳ１４２）、カットページでなければ（ステップＳ１４２においてＮＯ）、全ページの印刷が終了したか否かを判断する（ステップＳ１４４）。カットページであれば（ステップＳ１４２においてＹＥＳ）、印刷制御部１１（カット指示部１１７）は、カッタ部１４に、記録媒体５をページ開始位置からカット長Ｌ１の位置（すなわち、カット長保持部１１２ｂから読み出したページ開始位置にカット長Ｌ１を加算した位置）で記録媒体５を切断させる（ステップＳ１４３）。
【００２６】
最後に、印刷制御部１１は、全ページの印刷処理が終了したかどうかを判定し（ステップＳ１４４）、終了していれば（ステップＳ１４４においてＹＥＳ）、印刷処理を終了し、終了していなければ（ステップＳ１４４においてＮＯ）、処理はステップＳ１４１へ戻る。
【００２７】
《１−３》実施の形態１の効果
以上に説明したように、実施の形態１に係る印刷装置（プリンタ１）及び印刷制御装置（情報処理装置３）によれば、印刷に使用する記録媒体に備えられた基準マークの種別がブラックマークである場合には、プリンタ１におけるカット位置を、次の基準マーク位置から搬送方向にずらす。このため、記録媒体５がブラックマーク位置にハーフカット部を有する全面ラベル紙であっても、記録媒体（例えば、ラベル）の微細な切れ端が発生せず、プリンタ１の異常な動作の発生を防ぎ、プリンタ１の損傷を防ぐことができる。
また、実施の形態１における記録媒体の切断後に、次の印刷開始位置などの基準になるブラックマークを切断しないようにすることで、次ページを無駄にすることなく、次ページの印刷動作を直ぐに開始することができる。
【００２８】
《２》実施の形態２
《２−１》実施の形態２の構成
実施の形態１においては、情報処理装置３の表示部３３に表示される用紙種別の指示画面において「ハーフカット媒体」を設定するチェックボックスが設けられていなかったが、本発明の実施の形態２においては、情報処理装置４の表示部３３に表示される用紙種別の指示画面において「ハーフカット媒体」を設定するチェックボックス３３ｂが選択されているときに、切断位置の切り替えを行う。
【００２９】
図７は、実施の形態２に係るプリンタシステムのハードウェア構成を概略的に示すブロック図である。図７において、図２（実施の形態１）に示される構成要素と同一又は対応する構成要素には、図２に示される符号と同じ符号が付される。実施の形態２に係るプリンタシステムは、情報処理装置４の記憶部３１４ａに記憶されているプリンタドライバ及びプリンタドライバにより表示部３３に表示される用紙種別の設定画面の点において、実施の形態１に係るプリンタシステムと相違する。また、実施の形態２に係るプリンタシステムは、プリンタ２のＲＯＭ１１３ａに記憶されている印刷制御用ソフトの点において、実施の形態１に係るプリンタシステムと相違する。
【００３０】
図８は、図７に示される印刷制御部１１ａの機能ブロックを示すブロック図である。図８において、図３（実施の形態１）に示される構成要素と同一又は対応する構成要素には、図３に示される符号と同じ符号が付される。実施の形態２に係るプリンタシステムの印刷制御部１１ａは、マーク種別判定部１１４（図３）に代えてハーフカット判定部１１４ａを有する点において、実施の形態１に係るプリンタシステムと相違する。
【００３１】
図９は、図７に示される表示部３３の表示画面の一例を示す図である。図９に示される表示画面は、記録媒体５がハーフカット部を有するハーフカット媒体であることを示すチェックボックス３３ｂが追加されている点において、図４（実施の形態１）に示される表示画面と相違する。以上の点を除き、実施の形態２は、実施の形態１と同じである。
【００３２】
《２−２》実施の形態２の動作
図１０は、実施の形態２に係るプリンタシステムにおける情報処理装置４の動作（印刷データ生成時）を示すフローチャートである。先ず、印刷制御装置の一例としての情報処理装置４は、印刷データが生成される際に、チェックボックス３３ｂにチェックが有る場合（ステップＳ４１においてＹＥＳ）、情報処理装置４は、生成される印刷データに、記録媒体５がハーフカット媒体であることを示す情報（「ハーフカット媒体＝ＯＮ」と記す）を付加する（ステップＳ４２）。チェックボックス３３ｂにチェックが無い場合（ステップＳ４１においてＮＯ）、情報処理装置４は、生成される印刷データに、記録媒体５がハーフカット媒体ではないことを示す情報（「ハーフカット媒体＝ＯＦＦ」と記す）を付加する（ステップＳ４３）。
【００３３】
図１１は、実施の形態２に係るプリンタシステムにおけるプリンタ２の動作（印刷時）を示すフローチャートである。図１１において、図５（実施の形態１）に示されるステップと同一又は対応するステップには、図５に示されるステップ番号と同じステップ番号が付される。図１１に示されるように、プリンタ２の印刷制御部１１ａは、情報処理装置４から印刷データを受信すると、印刷データを解析して記録媒体５を切断することの指示（カット指示）の有無を判断する（ステップＳ１１）。カット指示が無ければ（ステップＳ１１においてＮＯ）、処理は印刷処理へ進む（ステップＳ１４）。カット指示が有れば（ステップＳ１１においてＹＥＳ）、処理はハーフカット媒体の判定処理に進む（ステップＳ２２）。このとき、「ハーフカット媒体＝ＯＮ」が指定されていなければ（ステップＳ２２においてＮＯ）、処理は印刷処理へ進む（ステップＳ１４）。
【００３４】
ハーフカット媒体の判定処理において「ハーフカット媒体＝ＯＮ」が指定されていれば（ステップＳ１２においてＹＥＳ）、印刷制御部１１ａ（カット長計算部１１６）は、カット長Ｌ１を計算する（ステップＳ１３）。このとき、印刷制御部１１（カット長計算部１１６）は、先ずページ長保持部１４１に保持されているページ長Ｌ０を読み出し、そのページ長Ｌ０から、予め決められた規定長Ｒ（例えば、３ｍｍ）を差し引いた値（Ｌ０−Ｒ）をカット長Ｌ１としてカット長保持部１１２ｂに書き出す。その後、処理は印刷処理へ進む（ステップＳ１４）。
【００３５】
《２−３》実施の形態２の効果
以上に説明したように、実施の形態２に係る印刷装置（プリンタ２）及び印刷制御装置（情報処理装置４）によれば、印刷に使用する記録媒体５に備えられた基準マークの種別がブラックマークである場合には、プリンタ２におけるカット位置を、次の基準マーク位置から搬送方向にずらす。このため、記録媒体５がブラックマーク位置にハーフカット部を有する全面ラベル紙であっても、記録媒体５の微細な切れ端が発生せず、プリンタ２が正常に動作しないエラー状態の発生及びプリンタ２の機構の損傷を防ぐことができる。
【００３６】
上記実施の形態１及び２では、プリンタドライバにより表示される用紙種別の選択画面において、ハーフカット媒体であるか否かを選択する例を示したが、他の設定画面にハーフカット媒体であることを示すチェックボックスを設けてもよい。
【００３７】
《３》変形例
実施の形態１では、ページ長Ｌ０から規定長Ｒである３ｍｍ引いた長さをカット長Ｌ１とする例を示したが、減算する長さは、この値に限定されない。また、実施の形態１及び２では印刷ページ内をカットする例を示したが、この例によると印刷領域内をカットしてしまう可能性がある。そこで、印刷領域内をカットしてしまうことを避けるために次のページ（印刷されていないページ）をカット長Ｌ１の位置でカットしてもよい。
【００３８】
また、１ページ終端位置（次ページの１ページ開始位置）から次のマーク位置までの間にカットされる方法であれば、その値や算出方法は、問わない。
【符号の説明】
【００３９】
１，２  プリンタ、  ３，４  情報処理装置（印刷制御装置）、  ５  記録媒体、  ６  ネットワーク、  １１，１１ａ  印刷制御部、  １２  搬送部、  １２ａ，１２ｂ  搬送ローラ、  １３  マーク検出部、  １４  カッタ部、  １５  印刷部、  １６  通信部（第１の通信部）（受信部）、  １７  媒体支持部、  ３２  入力部、  ３３  表示部、  ３４  通信部（第２の通信部）（送信部）、  ５１  ラベル紙（ハーフカット部無し）、  ５２  ラベル紙（ハーフカット部有り）、  ５４  第１の位置、  ５５  基準マーク、  ５６  第２の位置、  ５７  ハーフカット部、  １１１  ＣＰＵ、  １１２  ＲＡＭ、  １１２ａ  ページ長保持部（記憶領域）、  １１２ｂ  カット長保持部（記憶領域）、  １１３  ＲＯＭ、  １１５  印刷指示部、  １１６  カット長計算部。
【図１】
0006761675.tif 000002
【図２】
0006761675.tif 000003
【図３】
0006761675.tif 000004
【図４】
0006761675.tif 000005
【図５】
0006761675.tif 000006
【図６】
0006761675.tif 000007
【図７】
0006761675.tif 000008
【図８】
0006761675.tif 000009
【図９】
0006761675.tif 000010
【図１０】
0006761675.tif 000011
【図１１】
0006761675.tif 000012